【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
ガスタービンの出力の目標値である制御目標値を算出するように構成された目標値算出部と、
前記制御目標値と、前記ガスタービンの実出力値との偏差に基づき燃料指令値を算出するように構成された指令値算出部と、
を備え、
前記目標値算出部は、
前記ガスタービンの出力要求値の前記実出力値に対する差分が閾値以下になる直前において、前記制御目標値を前記出力要求値よりも大きな値に設定し、
前記差分が前記閾値以下になった後、前記制御目標値を前記値から減少させる
ように構成された
ガスタービンの制御装置。
【請求項２】
前記目標値算出部は、
前記差分が前記閾値よりも大きいことを含むバイアス加算条件を満たす場合、前記出力要求値とバイアス値との和を上限として前記制御目標値を算出し、
前記制御目標値を前記出力要求値と前記バイアス値との前記和よりも小さな値として算出する
ように構成された
請求項１に記載のガスタービンの制御装置。
【請求項３】
前記目標値算出部は、
前記バイアス加算条件を満たす場合、前記和に向けて前記制御目標値を一定レートで増大させ、
前記バイアス加算条件を満たさない場合、前記出力要求値に前記制御目標値が到達するまで一定レートで前記制御目標値を減少させる
ように構成された
請求項２に記載のガスタービンの制御装置。
【請求項４】
前記バイアス加算条件は、
前記差分が前記閾値よりも大きい第１条件を含み、
前記ガスタービンのタービン入口温度の指標が該指標の閾値未満である第２条件、
前記ガスタービンの圧縮器の入口案内翼の開度が全開未満である第３条件、及び、
前記ガスタービンの燃料流量を調整するための流量調整弁の開度が上限値未満である第４条件のうち少なくともいずれかの条件を含む
請求項２又は３に記載のガスタービンの制御装置。
【請求項５】
前記バイアス値は、前記バイアス加算条件が満たされている間、一定値である
ことを特徴とする請求項２乃至４の何れか一項に記載のガスタービンの制御装置。
【請求項６】
前記バイアス値は、前記バイアス加算条件が満たされている期間のうち、前記制御目標値が前記出力要求値よりも小さいときはゼロであり、前記制御目標値が前記出力要求値以上であるときは正の値である
ことを特徴とする請求項２乃至４の何れか一項に記載のガスタービンの制御装置。
【請求項７】
前記バイアス値は、前記バイアス加算条件が満たされている間、時間とともに徐々に増加するように設定される
ことを特徴とする請求項２乃至４の何れか一項に記載のガスタービンの制御装置。
【請求項８】
前記指令値算出部は、
前記偏差に基づく入力信号を受け取って、前記燃料指令値を算出するためのフィードバック指令値を算出するように構成されたフィードバック制御器と、
前記差分が前記閾値以下になったとき、前記差分が前記閾値に達したときの前記フィードバック指令値である上限指令値以下に前記燃料指令値を制限するように構成された第１上限設定部と、を含む
請求項１乃至７の何れか一項に記載のガスタービンの制御装置。
【請求項９】
前記フィードバック制御器は、
前記偏差から求まる比例項及び積分項に基づいて前記フィードバック指令値を算出するとともに、
前記差分が前記閾値以下になったとき、前記積分項の増加を制限して前記フィードバック指令値を算出するように構成された
ことを特徴とする請求項８に記載のガスタービンの制御装置。
【請求項１０】
前記指令値算出部は、
前記偏差に基づく入力信号を受け取って、前記燃料指令値を算出するためのフィードバック指令値を出力するように構成されたフィードバック制御器と、
前記フィードバック指令値と、前記フィードバック指令値とは別に算出された少なくとも一つの他の指令値とのうち最小の指令値を出力するように構成された低値選択器と、
前記差分が前記閾値以下になったとき、前記差分が前記閾値に達したときの前記低値選択器の出力値である上限指令値以下に前記燃料指令値を制限するように構成された第２上限設定部と、を含む
請求項１乃至７の何れか一項に記載のガスタービンの制御装置。
【請求項１１】
前記指令値算出部は、
前記偏差に基づく入力信号を受け取って、前記燃料指令値を算出するためのフィードバック指令値を出力するように構成されたフィードバック制御器と、
前記差分が前記閾値以下になったとき、前記フィードバック制御器の前記入力信号をゼロに制限するように構成された偏差上限設定部と、を含む
請求項１乃至１０の何れか一項に記載のガスタービンの制御装置。
【請求項１２】
請求項１乃至１１の何れか一項に記載の制御装置と、
空気を圧縮するための圧縮機と、
前記圧縮機からの圧縮空気と燃料との燃焼反応により燃焼ガスを生成するための燃焼器と、
前記燃焼器からの前記燃焼ガスにより駆動されるタービンと、を備え、
前記制御装置は、前記タービンの出力を制御するように構成された
ことを特徴とするガスタービン。
【請求項１３】
ガスタービンの出力の目標値である制御目標値を算出するステップと、
前記制御目標値と、前記ガスタービンの実出力値との偏差に基づき燃料指令値を算出するステップと、
を備え、
前記制御目標値を算出するステップでは、
前記ガスタービンの出力要求値の前記実出力値に対する差分が閾値以下になる直前において、前記制御目標値を前記出力要求値よりも大きな値に設定し、
前記差分が前記閾値以下になった後、前記制御目標値を前記値から減少させる
ガスタービンの制御方法。
【請求項１４】
前記制御目標値を算出するステップでは、
前記差分が前記閾値よりも大きいことを含むバイアス加算条件を満たす場合、前記出力要求値とバイアス値との和を上限として前記制御目標値を算出し、
前記バイアス加算条件を充足しない場合、前記制御目標値を前記出力要求値と前記バイアス値との前記和よりも小さな値として算出する
請求項１３に記載のガスタービンの制御方法。
【請求項１５】
前記制御目標値を算出するステップでは、
前記バイアス加算条件を満たす場合、前記和に向けて前記制御目標値を一定レートで増大させ、
前記バイアス加算条件を満たさない場合、前記出力要求値に前記制御目標値が到達するまで一定レートで前記制御目標値を減少させる
請求項１４に記載のガスタービンの制御方法。
【請求項１６】
前記バイアス加算条件は、
前記差分が前記閾値よりも大きい第１条件を含み、
前記ガスタービンのタービン入口温度の指標が該指標の閾値未満である第２条件、
前記ガスタービンの圧縮器の入口案内翼の開度が全開未満である第３条件、及び、
前記ガスタービンの燃料流量を調整するための流量調整弁の開度が上限値未満である第４条件のうち少なくともいずれかの条件を含む
請求項１４又は１５に記載のガスタービンの制御方法。
【請求項１７】
前記燃料指令値を算出するステップは、
前記偏差に基づく入力値に基づいて、前記燃料指令値を算出するためのフィードバック指令値を算出するステップと、
前記差分が前記閾値以下になったとき、前記差分が前記閾値に達したときの前記フィードバック指令値である上限指令値以下に前記燃料指令値を制限するステップと、を含む
請求項１４乃至１６の何れか一項に記載のガスタービンの制御方法。
【請求項１８】
前記フィードバック指令値を算出するステップでは、
前記偏差から求まる比例項及び積分項に基づいて前記フィードバック指令値を算出するとともに、
前記差分が前記閾値以下になったとき、前記積分項の増加を制限して前記フィードバック指令値を算出する
ことを特徴とする請求項１７に記載のガスタービンの制御方法。
【請求項１９】
前記燃料指令値を算出するステップは、
前記偏差に基づく入力値に基づいて、前記燃料指令値を算出するためのフィードバック指令値を算出するステップと、
前記フィードバック指令値と、前記フィードバック指令値とは別に算出された少なくとも一つの他の指令値とのうち最小の指令値を算出するステップと、
前記差分が前記閾値以下になったとき、前記差分が前記閾値に達したときの前記最小の指令値である上限指令値以下に前記燃料指令値を制限するステップと、を含む
請求項１３乃至１６の何れか一項に記載のガスタービンの制御方法。
【請求項２０】
前記燃料指令値を算出するステップは、
前記偏差に基づく入力値に基づいて、前記燃料指令値を算出するためのフィードバック指令値を算出するステップと、
前記差分が前記閾値以下になったとき、前記フィードバック指令値を算出するステップでの前記入力値をゼロに制限するステップと、を含む
請求項１３乃至１９の何れか一項に記載のガスタービンの制御方法。